(57)【要約】【課題】光コネクタに一旦組み込まれた光ファイバ素線を容易に取り外し可能とする。【解決手段】本体１と、本体１後端に設置されるエンドキャップ７と、エンドキャップ７に装着される、一対の把持プレート８２と一対の差込プレート８３とを有するクリップ８を有する光コネクタ１００であって、エンドキャップ７は、光コネクタ１００外部から導入される光ファイバケーブル１０２先端部に設置された外被把持部材１０６を収納し、外被把持部材１０６が一対の差込プレート８３によって狭持されることで光ファイバケーブル１０２が本体に対して固定される、光コネクタ１００に用いられる光コネクタ用冶具２００であって、基部２１０と、基部２１０の後端部に二股に形成された左右一対のアーム２４０と、アーム２４０の後端部に先端が鋭角に突出したテーパ部２４２とを有する、光コネクタ用冶具２００。【選択図】図１２
2011203485.tif 000002
【特許請求の範囲】
【請求項１】
本体と、前記本体後端に設置されるエンドキャップと、前記エンドキャップに装着される、一対の把持プレートと一対の差込プレートとを有するクリップを有する光コネクタであって、前記エンドキャップは、前記光コネクタ外部から導入される光ファイバケーブル先端部に設置された外被把持部材を収納し、前記外被把持部材が前記一対の差込プレートによって狭持されることで光ファイバケーブルが前記本体に対して固定される、光コネクタに用いられる光コネクタ用冶具であって、
基部と、
前記基部の後端部に二股に形成された左右一対のアームと、
前記アームの後端部に先端が鋭角に突出したテーパ部とを有する、光コネクタ用冶具。
【請求項２】
本体と、前記本体に設置され、所定長さの第１の光ファイバ素線を予め突出して支持するフェルールと、前記フェルールに近接して前記本体に設置され、前記フェルールから突出する前記第１の光ファイバ素線および前記本体の外部から導入された第２の光ファイバ素線にそれぞれ圧接力を付与して、前記第１の光ファイバ素線と前記第２の光ファイバ素線とを先端突き合わせ接続状態で固定するスプライス部とを備え、前記スプライス部は、外部からの押込力により前記本体に嵌入されて、前記圧接力を発生させる作動部材を有し、前記作動部材は、前記押込力が付与される被押込部と、前記作動部材を押し出すときに押出力が付与される被押出部と、前記本体は、前後方向にスライドするカバースライダと、前記作動部材が嵌入される嵌合部と、前記作動部材の前記被押出部に対向した貫通孔とを有する光コネクタに用いられる光コネクタ用冶具であって、
基部と、
前記基部から突設され、前記本体の前記貫通孔に挿入されて前記作動部材の前記被押出部に前記押出力を付与するための押出部と、
前記本体に嵌合し、前記本体に対して前記押出部を位置決めするとともに、前記本体に嵌合する際に、前記貫通孔が露出される位置に前記カバースライダを移動させるガイド部とを有する、光コネクタ用冶具。
【請求項３】
前記光コネクタは、前記本体後端に設置されるエンドキャップと、前記エンドキャップに装着される、一対の把持プレートと一対の差込プレートとを有するクリップをさらに有し、前記エンドキャップは、前記光コネクタ外部から導入される光ファイバケーブル先端部に設置された外被把持部材を収納し、前記外被把持部材が前記一対の差込プレートによって狭持されることで光ファイバケーブルが前記本体に対して固定され、
前記基部の後端部に二股に形成された左右一対のアームと、
前記アームの後端部に先端が鋭角に突出したテーパ部とをさらに有する、請求項２に記載の光コネクタ用冶具。
【請求項４】
前記一対のアームの左右内側面の間隔は、前記エンドキャップの底面に設けられた下段面と、前記エンドキャップの上面に設けられた下段面との間隔よりも大きく、
前記テーパ部の左右先端部の間隔は、前記クリップに設けられた前記一対の把持プレートの内面の間隔よりも小さい、請求項１または３に記載の光コネクタ用冶具。
【発明の詳細な説明】
【技術分野】
【０００１】
本発明は、光ファイバ同士を接続するための光コネクタおよび光コネクタ用冶具に関する。
【背景技術】
【０００２】
光ファイバの接続技術において、光ファイバ素線を固定支持したフェルールと、フェルールの近傍にて、フェルールから突出する組込光ファイバ素線の一部分と外部から導入された光ファイバケーブルの光ファイバ素線を圧力下で挟持するスプライス部とを、共通のコネクタ本体に装備した光コネクタが知られている（例えば特許文献１参照）。この種の光コネクタは、光伝送路における接続／分離自在な接続部を、光伝送路の敷設工事現場等で作業者が容易に形成できるものとして広く用いられている。
【０００３】
この特許文献１記載の光コネクタにおいて、スプライス部は、コネクタ本体の凹部に受容される断面略Ｖ字状の素線固定部材と、素線固定部材のＶ字をなす両翼を挟持する作動部材とを備える。素線固定部材の両翼の内側では、一対の光ファイバ素線（組込光ファイバ素線と外部から導入された光ファイバ素線）が互いに突き合わされ、この状態で、コネクタ本体の凹部に治具を用いて作動部材が嵌入されることにより、素線固定部材の両翼に閉じる方向の圧力が作用し、素線固定部材内で一対の光ファイバ素線が圧接固定される。
【先行技術文献】
【特許文献】
【０００４】
【特許文献１】特開２００６−３０６６３号公報
【発明の概要】
【発明が解決しようとする課題】
【０００５】
ところで、作動部材の嵌入により一対の光ファイバ素線を圧力下で挟持した際に、所望の光伝送の性能が得られないとき、光ファイバ素線の端面仕上げ等に不良があったと考えられる。したがって、この場合には光ファイバ素線の接続端面を再仕上げする必要がある。しかしながら、上記特許文献１記載の光コネクタにおいては、作動部材がコネクタ本体の凹部に嵌入されているため、光コネクタに一旦組み込まれた光ファイバ素線を取り外すことは難しい。
【０００６】
本発明の目的は、光コネクタに一旦組み込まれた光ファイバ素線を容易に取り外すことができる光コネクタおよび光コネクタ用冶具を提供することである。
【課題を解決するための手段】
【０００７】
本発明の一態様は、本体と、本体後端に設置されるエンドキャップと、エンドキャップに装着される、一対の把持プレートと一対の差込プレートとを有するクリップを有する光コネクタであって、エンドキャップは、光コネクタ外部から導入される光ファイバケーブル先端部に設置された外被把持部材を収納し、外被把持部材が一対の差込プレートによって狭持されることで光ファイバケーブルが本体に対して固定される、光コネクタに用いられる光コネクタ用冶具であって、基部と、基部の後端部に二股に形成された左右一対のアームと、アームの後端部に先端が鋭角に突出したテーパ部とを有する、光コネクタ用冶具である。
【０００８】
また、本発明の別の態様は、本体と、本体に設置され、所定長さの第１の光ファイバ素線を予め突出して支持するフェルールと、フェルールに近接して本体に設置され、フェルールから突出する第１の光ファイバ素線および本体の外部から導入された第２の光ファイバ素線にそれぞれ圧接力を付与して、第１の光ファイバ素線と第２の光ファイバ素線とを先端突き合わせ接続状態で固定するスプライス部とを備え、スプライス部は、外部からの押込力により本体に嵌入されて、圧接力を発生させる作動部材を有し、作動部材は、押込力が付与される被押込部と、作動部材を押し出すときに押出力が付与される被押出部と、本体は、前後方向にスライドするカバースライダと、作動部材が嵌入される嵌合部と、作動部材の被押出部に対向した貫通孔とを有する光コネクタに用いられる光コネクタ用冶具であって、基部と、基部から突設され、本体の貫通孔に挿入されて作動部材の被押出部に押出力を付与するための押出部とを有し、本体に嵌合し、本体に対して押出部を位置決めするとともに、本体に嵌合する際に、貫通孔が露出される位置にカバースライダを移動させるガイド部を有する、光コネクタ用冶具である。
【発明の効果】
【０００９】
本発明によれば、エンドキャップの下段面とクリップの把持プレートとの間に形成される空隙に差込むテーパ部を有することで、エンドキャップ内に収納された外被把持部材を固定するクリップとエンドキャップとの係合状態を解除することができ、光ファイバケーブルを光コネクタから容易に取り外すことができる。
【図面の簡単な説明】
【００１０】
【図１】本発明の実施の形態に係る光コネクタ用冶具に対応した光コネクタの全体構成を概略的に示す図。
【図２】本発明の実施の形態に係る光コネクタ用冶具に対応した光コネクタの組立状態における要部断面図。
【図３】（ａ）〜（ｄ）はそれぞれ図１の本体の上面図、側面図、底面図および前面図。
【図４】（ａ）は、図３のバックボーンの構成を示す斜視図、（ｂ）は、図４（ａ）のｂ−ｂ線断面図。
【図５】（ａ）、（ｂ）は、それぞれ図１のフェルールの外観形状を示す斜視図および断面図。
【図６】図３のフレームの斜視図。
【図７】外部から導入される光ファイバケーブルの先端部の構成を示す側面図。
【図８】（ａ）は、図１のクリップの斜視図、（ｂ）は、図８（ａ）の矢視ｂ図。
【図９】（ａ）は、本発明の実施の形態に係る光コネクタ用冶具に対応した光コネクタを構成するエレメントの斜視図、（ｂ）は、図９（ａ）のｂ−ｂ線断面図。
【図１０】（ａ）は、本発明の実施の形態に係る光コネクタ用冶具に対応した光コネクタを構成するキャップの斜視図、（ｂ）は、図１０（ａ）の矢視ｂ図。
【図１１】（ａ）〜（ｃ）はそれぞれ図１０のキャップの押込時の動作を示す図。
【図１２】（ａ）は、本発明の実施の形態に係る光コネクタ用冶具の斜視図、（ｂ）は図１２（ａ）の矢視ｂ図、（ｃ）は図１２（ａ）の矢視ｃ図。
【図１３】図１２の治具の使用例を示す斜視図。
【図１４】図１２の治具の使用状態における要部断面図。
【図１５】（ａ）は、図１２の治具の他の使用例を示す斜視図、（ｂ）は、図１５（ａ）のｂ−ｂ線断面図。
【図１６】（ａ）〜（ｄ）はそれぞれ図１２の変形例を示す平面図。
【図１７】本発明の実施の形態に係る光コネクタ用冶具に対応した光コネクタの他の形状を示す図。
【発明を実施するための形態】
【００１１】
以下、図１〜図１７を参照して本発明の実施の形態について説明する。図１は、本発明の実施の形態に係る光コネクタ用冶具に対応した光コネクタの全体構成を概略的に示す図である。以下では、便宜上、図示のように前後左右方向および上下方向を定義し、この定義にしたがい各部の構成を説明するが、方向はこれに限定されない。光コネクタ１００は、コネクタ内に予め組み込まれた光ファイバ素線（組込光ファイバ素線１０１）と外部から導入される光ファイバケーブル１０２の光ファイバ素線（導入光ファイバ素線１０３）とを先端突き合わせ状態で接続するためのものである。この光コネクタ１００は、他の光コネクタ１０４に着脱可能に取り付けられる。
【００１２】
なお、本明細書において、光ファイバ素線１０１，１０３とは、コアとその周囲を覆うクラッドとを有する光ファイバをいい、光ファイバのクラッドの外面に軟質の被覆を施したものを光ファイバ心線という。また、単心または多心の光ファイバ心線を抗張力体とともにシース（一般に樹脂外被）に内蔵したもの光ファイバケーブルといい、これには広義で光ファイバコードも含む。
【００１３】
光コネクタ１００は、前後方向に中空細長形状の本体１と、本体１の前端部に設置され、所定長さの組込光ファイバ素線１０１を突出して支持するフェルール２と、フェルール２に近接して本体１に設置され、組込光ファイバ素線１０１と導入光ファイバ素線１０３とを先端突き合せ接続状態で固定するスプライス部３と、本体１の後方に配設されたエンドキャップ７とを有する。エンドキャップ７には略コ字状のクリップ８が側方から取り付けられ、クリップ８の把持力により、外部から導入された光ファイバケーブル１０２の先端部がエンドキャップ７内で固定される。
【００１４】
本体１の後端部にはコイルばね６が設置され、このコイルばね６によりフェルール２は、スプライス部３と一体に本体１に対して前方に付勢される（図４（ｂ）参照）。この前方への付勢により、フェルール２は他の光コネクタ１０４のフェルール１０５と先端突合せ状態となり、光コネクタ１００，１０４同士が接続される。スプライス部３における組込光ファイバ素線１０１と導入光ファイバ素線１０３との固定は、後述する光コネクタ用治具２００を用いて解除できる。
【００１５】
図２は、光コネクタ１００の組立状態における要部断面図（図４の貫通孔３４，３５を通る縦断面図）であり、図３（ａ）〜（ｄ）は、それぞれ本体１の上面図、側面図、底面図および前面図である。なお、図３には、エンドキャップ７も併せて示している。図３に示すように本体１は、前後方向に細長の略直方体形状をなすフレーム１０と、フレーム１０の外表面に前後方向にスライド可能に取り付けられたカバースライダ２０と、フレーム１０内に前後方向に沿って収容されたバックボーン３０とを有する。なお、図３は、カバースライダ２０を前方に最大にスライドさせた状態である。これらフレーム１０、カバースライダ２０およびバックボーン３０はそれぞれ樹脂成形により形成されている。
【００１６】
図４（ａ）は、バックボーン３０の構成を示す斜視図であり、図４（ｂ）は、図４（ａ）のｂ−ｂ線断面図（中央軸線を通る縦断面図）である。なお、図４（ａ）にはスプライス部３を構成するエレメント４０およびキャップ５０を併せて示している。バックボーン３０は、前後方向に延在する第一円柱部３１と、第一円柱部３１に連なり、第一円柱部３１と同軸上を後方に延在し、かつ、第一円柱部３１よりも小径の第二円柱部３２とを有する。第一円柱部３１の上面には、略矩形状の所定深さの収容凹部３３が形成され、収容凹部３３にエレメント４０とキャップ５０がそれぞれ収容される。バックボーン３０は、中心軸線に対して全体がほぼ左右対称形状をなしている。
【００１７】
収容凹部３３の底面には、第一円柱部３１の外周部まで貫通する前後方向に細長の貫通孔３４，３５が前後方向に互いに離間して設けられ、各貫通孔３４，３５はそれぞれ中心軸線を挟んで左右に設けられている。貫通孔３４，３５の位置は、キャップ５０の脚部５２、５３（図１０参照）の位置に対応し、前側に２つの貫通孔３４が、後側に２つの貫通孔３５がそれぞれ設けられている。収容凹部３３の底面には、収容凹部３３の前端面から後端面にかけて中心軸上にスリット溝３６が形成されている。さらに、収容凹部３３の左右側壁には、左右内側に突出する突起部３７がそれぞれ形成されている。スリット溝３６にはエレメント４０の底部の折り曲げ部４１が嵌合される。このとき、エレメント４０の左右方向の倒れは突起部３７により阻止され、エレメント４０はバックボーン３０の中心軸上に鉛直に立設する。
【００１８】
第一円柱部３１の前面中央には、後方にかけて所定深さの嵌合凹部３８が設けられ、嵌合凹部３８の中央には中心軸に沿って貫通孔３８ａが開口されている。嵌合凹部３８はフェルール２の外形形状に対応した円筒面形状をなし、嵌合凹部３８にフェルール２の後端部が嵌合される。また、第一円柱部３１の前側外周面には、その周方向所定位置に位置決め用の凸部３９が突設されている。
【００１９】
第二円柱部３２の内部には、貫通孔３８ａと同軸上に、収容凹部３３から第二円柱部３２にかけて貫通孔３２ａが形成されている。第二円柱部３２の後端部外周面には周方向に係合溝３２ｂが形成されている。
【００２０】
図５（ａ）、（ｂ）は、それぞれフェルール２の外観形状を示す斜視図および断面図である。フェルール２は、全体が略円柱形状をなし、その中心軸上にはフェルール２の前後端面を貫通して素線保持孔２ａが開口されている。フェルール２の前端面には相手方コネクタ１０４のフェルール１０５（図１）に衝合する衝合端面が形成され、フェルール２の後端面には素線保持孔２ａに向けてテーパ状の案内面２ｂが形成されている。フェルール２は、セラミックスや樹脂等により構成できる。
【００２１】
フェルール２の素線保持孔２ａには、所定長さの組込光ファイバ素線１０１の一部が挿入され、光ファイバ素線１０１は接着剤により素線保持孔２ａに固定されている。組込光ファイバ素線１０１の前後両端面には、予め工場等により所定のカッティング仕上げが施されている。すなわち、組込光ファイバ素線１０１の前端面は、フェルール２の前端面と同一平面上にあり、フェルール２の軸線に直交する平坦面とされている。また、組込光ファイバ素線１０１の後端面は、フェルール２の後端部から所定長さだけ突出し、軸線に直交する平坦面とされている。
【００２２】
フェルール２の後端部は、図４のバックボーン３０の収容凹部３３にエレメント４０が配置された後、嵌合凹部３８に嵌合され、接着剤等により固定される。このとき、組込光ファイバ素線１０１は、嵌合凹部３８の中央の貫通孔３８ａを貫通して収容凹部３３の前端面３３ａから所定長さだけ後方に突出し、組込光ファイバ素線１０１の後端は、エレメント４０内の、前側の貫通孔３６の前後方向中央部を通る鉛直面上に位置し、貫通孔３２ａ後方から挿通された導入光ファイバ素線１０３（図１）の先端（前端）が、組込光ファイバ素線１０１の先端（後端）に、エレメント４０の内部にて当接される。
【００２３】
図６はフレーム１０の斜視図である。フレーム１０は、前面および後面が開口された枠部材であり、全体がほぼ左右対称形状をなしている。フレーム１０の前側開口部１１の内周面には、図３（ｄ）に示すように、バックボーン３０の前端部外周の凸部３９に対応し、前後方向に係合溝１２が形成されている。バックボーン３０は、フレーム１０の前側開口部１１から挿入される。この際、フレーム１０の係合溝１２にバックボーン３０の凸部３９が嵌合してフレーム１０に対するバックボーン３０の周方向位置が規制され、バックボーン３０の収容凹部３３が鉛直上方を向く。
【００２４】
フレーム１０の後端部内周面には、図４（ｂ）、図６に示すように、内周面に対して垂直に壁部１３が形成され、壁部１３の中央には貫通孔１３ａが開口されている。壁部１３の前面とバックボーン３０の第一円柱部３１の後端面との間には、コイルばね６が配設される。バックボーン３０は、フレーム１０への挿入時にコイルばね６の内側を通って貫通孔１３ａを貫通し、バックボーン３０の後端部の係合溝３２ｂは、エンドキャップ７の前端部に設けられた係合突起部７１に係合される（図２参照）。これによりバックボーン３０とエンドキャップ７とが一体化され、バックボーン３０はコイルばね６によりフレーム１０に対し前方に付勢される。
【００２５】
フレーム１０の上面には、図３（ａ）、図６に示すように、バックボーン３０の収容凹部３３の開口面とほぼ同形状の略矩形状の開口部１６が設けられ、収容凹部３３の上方空間は開放されている。また、フレーム１０の底面には、バックボーン３０の貫通孔３４，３５と同位置に、各貫通孔３４，３５と同形状の貫通孔１４，１５（図２参照）が開口されている。
【００２６】
フレーム１０の左右側壁には、図６に示すように、上下方向にかけて突起部１７が延設されている。突起部１７には、図１に示す相手方コネクタ１０４の左右側壁に設けられた係合爪１０４ａが係合され、これにより光コネクタ１００が相手方コネクタ１０４に係止される。さらにフレーム１０の左右側壁には、突起部１７の後方において上端面から下端面にかけて凹部１９が形成されている。凹部１９の略中央部には上下方向に細長の突起１９ａが形成され、凹部１９は突起１９ａの前側の前凹部１９ｂと突起１９ａの後側の後凹部１９ｃとに区画されている。凹部１９には、後述する光コネクタ用治具２００の大突起２３０が係合される。
【００２７】
カバースライダ２０は、図３に示すように、前面および後面が開口された枠部材であり、フレーム１０の前端部から中央部やや後方までを覆っている。フレーム１０の上面には、図３（ｂ）に示すように、段部１８が設けられ、カバースライダ２０は、その上面後端部２１が段部１８に当接するまでフレーム１０に沿って後方にスライド可能となっている。
【００２８】
カバースライダ２０の左右側面には開口部２２が設けられ、開口部２２を介してフレーム１０の突起部１７が露出している。カバースライダ２０の後方へのスライドにより、突起部１７と係合爪１０４ａとの係合が解除され、光コネクタ１００がコネクタ１０４から取り外し可能となる。
【００２９】
カバースライダ２０の上面には、図３（ａ）に示すように、フレーム１０の開口部１６と左右方向同一幅を有する略矩形状の開口部２８が設けられている。開口部２８の前後方向長さは、カバースライダ２０のスライド量の分だけ開口部１６の前後方向長さよりも長い。このため、図３に示すようにカバースライダ２０を前方に最大にスライドさせた状態では、開口部２８の前端面は開口部１６の前端面よりも前方に位置し、開口部２８の後端面が開口部１６の後端面と面位置となる。一方、カバースライダ２０を後方に最大にスライドさせた状態では、開口部２８の後端面は開口部１６の後端面よりも後方に位置し、開口部２８の前端面が開口部１６の前端面と面位置となる。
【００３０】
カバースライダ２０の左右側面には、図３（ａ）に示すように、外側に膨出した膨出部２３が形成され、膨出部２３の外表面にはカバースライダ２０の把持用の凹凸面２３ａが形成されている。各膨出部２３には、フレーム１０の左右外側を上下方向に貫通するガイド孔２４，２５が設けられている。各ガイド孔２４，２５は、それぞれ前後方向に細長の略矩形状を呈し、ガイド孔２４とガイド孔２５とは前後方向に互いに離間して開口されている。
【００３１】
ガイド孔２４，２５は、カバースライダ２０を前方に最大にスライドさせた状態で、フレーム１０の凹部１９に対応した位置に設けられ、ガイド孔２４，２５と前凹部１９ｂ，後凹部１９ｃの前後方向長さは互いに等しい。このため、図３（ａ）では、フレーム１０の突起１９ａはガイド孔２４とガイド孔２５との間に位置する。さらに図３（ｃ）に示すようにカバースライダ２０の底面には、カバースライダ２０を前方に最大にスライドさせた状態で、フレーム１０の底面の貫通孔１４，１５に対応した位置に、貫通孔１４，１５と同形状の貫通孔２６，２７が設けられている。なお、貫通孔２７はガイド孔２５と前後方向ほぼ同一位置にあり、貫通孔２６はガイド孔２４の斜め前方に位置する。
【００３２】
エンドキャップ７は、外部から本体１に導入ファイバ素線１０３を導くための枠部材であり、前面、後面および上面が開口され、樹脂成形により形成されている。エンドキャップ７の前部は、図３（ｃ）に示すように、フレーム１０内に嵌合し、後部がフレーム１０から突出している。エンドキャップ７の底面の前後方向中央部は、その両側よりも一段低くなっており、前後方向中央部に下段面７ａが、その両側に上段面７ｂがそれぞれ形成されている。下段面７ａの前部および後部には左右方向にかけてスリット状の一対の貫通孔７２が開口され、これら貫通孔７２の間において下段面７ａの左右両端部には、下方に突出する突起部７３がそれぞれ形成されている。突起部７３は左側がテーパ状に立ち上がり、右側が直角に立ち上がっている。一方、下段面７ａの両側の上段面７ｂには、左右方向にかけてそれぞれスリット状の貫通孔７４が開口されている。
【００３３】
エンドキャップ７の上面は、図３（ａ）に示すように、導入光ファイバ素線１０３の挿入を容易にするために、左右方向中央部が前後方向にわたって切断され、開口部７ｃが形成されている。この開口部７ｃがある点を除き、エンドキャップ７の上面形状は底面形状と同一であり、エンドキャップ上面の下段面７ａには、上方に突出する一対の突起部７５が設けられている。
【００３４】
エンドキャップ７の左側面には、図３（ｂ）に示すように、各貫通孔７４と前後方向同一位置に、上下方向にかけてスリット状の一対の貫通孔７６が開口されている。各貫通孔７６は、略矩形状の平坦部７７と、その平坦部７７の角部に面なるコ字状の枠部７８との間に形成され、図３（ｃ）に示すように平坦部７７と枠部７８との間には段差が設けられている。
【００３５】
図７は、光コネクタ１００に導入される光ファイバケーブル１０２の先端部の構成を示す側面図である。光ファイバケーブル１０２の先端部には外被把持部材１０６が取り付けられ、外被把持部材１０６の先端から光ファイバ心線１０７が突出され、さらに光ファイバ心線１０７の先端から導入光ファイバ素線１０３が突出されている。外被把持部材１０６の表面は段付き形状を呈し、中央部１０６ａを挟んで前後両端部１０６ｂの高さ（上下方向長さ）および幅（左右方向長さ）は小さくなっている。外被把持部材１０６は、前面および後面が開口された枠形状であり、エンドキャップ７内に収容される。
【００３６】
図８（ａ）は、クリップ８の斜視図であり、図８（ｂ）は、図８（ａ）の矢視ｂ図（後方から見た図）である。クリップ８は、予め所定形状に加工された銅やアルミニウム等の薄板の金属を折り曲げて形成され、前後方向の中心軸線Ｌ１に関しては上下対称形状であり、上下方向の中心軸線Ｌ２に関しては左右対称形状である。クリップ８は、略矩形状のベース部８１と、ベース部８１の上下端部からそれぞれ略直角に折り曲げて右方に延設される一対の把持プレート８２と、ベース部８１の前後端部から略直角に折り曲げて右方に延設される一対の差込プレート８３とを有する。
【００３７】
把持プレート８２は、エンドキャップ７の上下の下段面７ａ（図３（ａ））と同一幅に形成されている。把持プレート８２の先端側には、エンドキャップ７の突起部７３，７５に係合するための略矩形状の開口部８４が設けられ、基端側には左側の突起部７３，７５との干渉を避けるための略矩形状の開口部８５が設けられている。開口部８５は、開口部８４よりも左右方向に長い。
【００３８】
差込プレート８３は、図８（ｂ）に示すように、略コ字状に形成され、上下に差込部８３ａ、８３ｂが設けられている。上側の差込部（上差込部８３ａ）の上端面は直線形状であるのに対し、下端面は先端がテーパ形状をなし、テーパ部８３ｃが形成されている。下側の差込部（下差込部８３ｂ）の下端面は直線形状であるのに対し、上端面は先端がテーパ形状をなし、テーパ部８３ｄが形成されている。差込プレート８３はエンドキャップ７の左側方の貫通孔７６（図３（ｂ））に差し込まれ、外部から導入された光ファイバーケーブル１０２の外被把持部材１０６（図７）の上下両端部１０６ｂを挟持する。このとき、把持プレート８２は、エンドキャップ７上下の下段面７ａに装着され、突起部７３，７５がそれぞれ開口部８４に係合される。
【００３９】
図９（ａ）は、エレメント４０の斜視図であり、図９（ｂ）は、図９（ａ）のｂ−ｂ線断面図である。エレメント４０は、予め所定形状に加工された銅やアルミニウム等の薄板の金属を、前後方向に延在する折り曲げ部４１を支点にして、左右対称形状となるようにＶ字状に折り曲げて形成される。エレメント４０は、中心軸線の左右両側に配置される一対の翼部４２，４３を有し、一方（右側）の翼部４３の基端部内側面には、光ファイバ素線１０１，１０３を収容支持するための略三角形状の素線保持溝４４（図１１（ｃ）参照）が前後方向にかけて形成されている。後述するように、外部からの押込力によりエレメント４０の上方からキャップ５０が完全に嵌入されると、折り曲げ部４１の近傍が変形し、これにより折り曲げ部４１を支点にして翼部４２，４３が折り畳まれる。
【００４０】
各翼部４２，４３の前端部、後端部および前後方向中央部には、それぞれ凹状に切り欠き４５が形成され、各翼部４２，４３は切り欠き４５を境にして前後に二分割されている。前側の翼部（前翼部）４２ａ，４３ａと後側の翼部（後翼部）４２ｂ，４３ｂとを比較すると、前翼部４２ａ，４３ａの方が後翼部４２ｂ、４３ｂよりも前後方向の長さが短く、かつ、左右の翼部間の間隔は、後翼部４２ｂ，４３ｂの方が前翼部４２ａ，４３ａよりも大きい。このように左右の翼部間の間隔を後翼部４２ｂ，４３ｂ側で拡げることで、後方からの導入光ファイバ素線１０３の挿入が容易になるとともに、前翼部４２ａ，４３ａの内側で光ファイバ素線１０１，１０３の先端部を強固に挟持できる。なお、前翼部４２ａ，４３ａと後翼部４２ｂ，４３ｂとが互いに独立して変形可能となるように切り欠き４５の底部には上下方向にスリット４６が設けられている。
【００４１】
図１０（ａ）は、キャップ５０の斜視図（斜め下方から見た図）であり、図１０（ｂ）は、図１０（ａ）の矢視ｂ図である。キャップ５０は、樹脂成形により形成され、基部５１と、基部５１の底面から突設される左右一対の脚部５２，５３とを有し、全体が左右対称形状をなしている。各脚部５２，５３は、キャップ５０とバックボーン３０の突起部３７（図４）との干渉を避けるため、前後方向に離間して基部５１から突設され、前側の脚部（前脚部）５２ａ，５３ａの前後方向長さは後側の脚部（後脚部）５２ｂ，５３ｂの前後方向長さよりも短い。また、後脚部５２ｂ，５３ｂの前端部には、キャップ５０とバックボーン３０の底部との干渉を避けるために退避部５４が設けられている。
【００４２】
図１０（ｂ）に示すように、左右の脚部５２，５３の内側面にはそれぞれテーパ部５２ｃ，５３ｃが設けられ、テーパ部５２ｃ，５３ｃを境にして左右の脚部５２，５３の内側の間隔が変化している。すなわち、下側の脚部５２，５３の間隔は、上側の脚部５２，５３の間隔よりも大きい。基部５１の下面５１ａは、バックボーン３０の外形形状に合せて円弧状に形成され、基部５１の上面５１ｂは平坦面とされている。左右の脚部５２，５３の下端面５２ｄ，５３ｄは平坦面とされている。
【００４３】
本実施形態に係る光コネクタ用冶具に対応した光コネクタ１００は、例えば以下のようにして組み立てられる。まず、フレーム１０の外側に、前方からカバースライダ２０を押し込んで、フレーム１０に対しスライド可能にカバースライダ２０を取り付ける。次いで、フレーム１０内に前方からコイルばね６を収容した後、フレーム１０の前方からバックボーン３０を挿入してコイルばね６をフレーム内の壁部１３（図４（ａ））に押し当て、バックボーン３０の後端部の係合溝３２ｂにエンドキャップ７の係合突起部７１を係合する。これにより、フレーム１０とカバースライダ２０とバックボーン３０とが一体化され、本体１が形成される。このとき、フレーム１０の内周面の係合溝１２（図３（ｄ））にバックバーン３０の凸部３９が嵌合するため、バックボーン３０が周方向に位置決めされ、バックボーン３０の収容凹部３３が上方に向けられる。
【００４４】
次いで、カバースライダ２０の上面の開口部２８およびフレーム１０の上面の開口部１６を介して、バックボーン３０の収容凹部３３に上方からエレメント４０を挿入し、エレメント４０の底部の折り曲げ部４１を、収容凹部３３の底面のスリット溝３６（図４）に設置する。このとき、エレメント４０の倒れは、収容凹部３３に突設された突起部３７により阻止され、エレメント４０は左右外側を突起部３７に支持されて鉛直方向に起立する。この状態で、所定長さの組込光ファイバ素線１０１を有するフェルール２を、バックボーン３０の前端部の嵌合凹部３８に嵌入して接着し、組込光ファイバ素線１０１を、エレメント４０の前翼部４２ａ，４３ａの内側の素線保持溝４４（図９）に沿って配置する。
【００４５】
さらに、カバースライダ２０上面の開口部２８およびフレーム１０上面の開口部１６を介して、バックボーン３０の収容凹部３３に上方からキャップ５０を半嵌入する。これにより図１１（ａ）に示すように、キャップ５０の脚部５２，５３の内側にエレメント４０の翼部４２，４３が挟まれ、翼部４２がテーパ部５２ｃ，５３ｃに当接する。この状態では、キャップ５０は完全に嵌入されていない半嵌入状態のため、エレメント４０の翼部４２，４３は開放姿勢にある。このため、光コネクタ１００の外部からエレメント４０内に容易に光ファイバ素線１０３を導入することができる。ここまでの組立は工場等で行われ、キャップ５０は、半嵌入状態のまま製品として出荷される。
【００４６】
光伝送路の敷設現場等で、作業者が光コネクタ１００に光ファイバを接続する場合、まず、光ファイバケーブル先端部のシースを所定長さ除去し、光ファイバ心線１０７を露出させた上で、シース先端部に外被把持部材１０６を取り付ける。その後、光ファイバ心線１０７から被覆を所定長さ除去して光ファイバ素線１０３を露出させ、所定長さに切断することで、図７に示すような、光ファイバケーブル１０２の先端部を得る。
【００４７】
次いで、エンドキャップ７およびバックボーン３０を介して後方からエレメント４０内に光ファイバ素線１０３を導入し、導入光ファイバ素線１０３の先端部を組込光ファイバ素線１０１の先端部に突き当て、先端突き合わせ状態とする。この場合、エレメント４０の翼部４２，４３の間隔は後側で拡大しているため、導入光ファイバ素線１０３の挿入が容易である。導入光ファイバ素線１０３を挿入した状態では、光ファイバケーブル１０２先端に設けられた外被把持部材１０６がエンドキャップ７内に収容される。
【００４８】
次に、キャップ５０の基部上面５１ｂに外部から押込力を付与し、図１１（ｂ）に示すようにキャップ５０を下方に押し込む。これにより、キャップ５０の脚部５２，５３の間隔が狭くなって翼部４２，４３が閉じられ、光ファイバ素線１０１，１０３に対し圧接力が作用し、光ファイバ素線１０１，１０３は突き合わせ接続状態で固定される。素線保持溝４４は、断面略三角形状に形成されているため、光ファイバ素線１０１，１０３の固定時においては、図１１（ｃ）に示すように、光ファイバ素線１０１，１０３に自己調心機能が作用し、光ファイバ素線１０１，１０３には、素線保持溝４４の一対のテーパ面４４ａと翼部４２の内面４２ｃから均等に圧接力が作用する。
【００４９】
光ファイバ素線１０１，１０３の固定が終了すると、エンドキャップ７に左側方からクリップ８（図８）を取り付ける。すなわち、差込プレート８３をエンドキャップ７の貫通孔７６（図３（ｂ））に挿入し、エンドキャップ７の上下面の突起部７３，７５に把持プレート８２の開口部８４，８５を係合する。これにより光ファイバケーブル１０２先端部の外被把持部材１０６の前後両端部１０６ｂ（図７）が上下の差込プレート８３の間に挟持され、エンドキャップ７内に外被把持部材１０６が固定される。
【００５０】
以上で、一対の光ファイバ素線１０１，１０３の接続を終了する。接続が終了した状態では、図２に示すようにキャップ５０はバックボーン３０の突起部３７およびバックボーン３０の中央底部３０ａを退避して押し込まれており、キャップ５０の上面５１ｂがカバースライダ２０の上面よりも下側に位置する。このため、キャップ５０が光コネクタ１００の表面から出っ張ることなく、光コネクタ１００をコンパクトに構成できる。
【００５１】
このとき、キャップ５０の脚部５２，５３の下端面５２ｄ，５３ｄは、バックボーン３０の貫通孔３４，３５、フレーム１０の貫通孔１４，１５およびカバースライダ２０の貫通孔２６，２７を介して露出している。本実施の形態では、これら貫通孔３４，３５，１４，１５，２６，２７を利用し、以下のような光コネクタ用治具２００によりキャップ５０の押し出しを行う。
【００５２】
図１２（ａ）は、本実施の形態に係る光コネクタ用冶具２００の斜視図であり、図１２（ｂ）は図１２（ａ）の矢視ｂ図（前方から見た図）、図１２（ｃ）は図１２（ａ）の矢視ｃ図（側方から見た図）である。本実施形態に係る治具２００は、クリップ８の開放部２００ｂを有する。開放部２００ｂは、図１２（ａ）に示すように、基部２１０の後端部に二股に形成された左右一対のアーム２４０を有し、アーム２４０の内側には平面視略矩形状の空隙２４１が形成されている。各アーム２４０の左右内側面は前後方向に直線状に形成されている。一方、各アーム２４０の左右外側面は後端にかけてテーパ状に形成され、アーム２４０の後端部には先端が鋭角に突出したテーパ部２４２が設けられている。
【００５３】
空隙２４１の左右方向長さは、エンドキャップ上面の下段面７ａ（図３（ｂ））からエンドキャップ下面の下段面７ａまでの長さにほぼ等しいが下回ることはなく、各アーム２４０の上下方向の厚さは、エンドキャップ７の下段面７ａの前後方向長さにほぼ等しいが上回ることはない。各アーム２４０の左右内側面には、その厚さ方向中央部に、先端部から基端部にかけて空隙２４１に面して溝２４３が設けられている。溝２４３は、エンドキャップ７の突起部７３，７５と干渉しないような深さに形成されている。これによりアーム２４０の内側の空隙２４１に、エンドキャップ７の上下の下段面７ａを嵌合することができる。両テーパ部２４０の先端部の間隔は、クリップ８の一対の把持プレート８２の内面の間隔よりも小さく、各テーパ部の先端部の左右方向の幅は、把持プレート８２の内面とエンドキャップ７の下段面７ａとの間に形成される空隙よりも小さい。
【００５４】
光コネクタ用冶具２００は、クリップ８の開放時だけではなく、さらにキャップ５０の押し出し時、および嵌入時にも用いることができる。治具２００は、略矩形の薄板状の基部２１０と、基部２１０の上面から垂直に立設された小突起２２０および大突起２３０とを有する。この治具２００は、左右対称形状をなし、樹脂成形により一体に形成される。
【００５５】
小突起２２０は前後方向に細長の板形状をなし、カバースライダ２０の貫通孔２６，２７の位置に対応して基部上面の左右方向中央部に設けられている。すなわち、基部２１０の上面には、前小突起２２１および後小突起２２２が同一直線上を前後方向に互いに離間して設けられるとともに、前小突起２２１および後小突起２２２はそれぞれ左右に１つづつ設けられ、計４個の小突起２２０が突設されている。さらに基部２１０の上面には、小突起２２０の左右外側面に沿って前後方向に左右一対のリブ２２５が延設され、小突起２２０はリブ２２５よりも上方に突出している。
【００５６】
小突起２２０は側面視略長方形形状をなし、前小突起２２１は後小突起２２２よりも前後方向に長尺である。各小突起２２０の厚さ（左右方向長さ）および長さ（前後方向長さ）は、対応する貫通孔２６，２７の幅および長さとほぼ等しく、小突起２２０は貫通孔２６，２７にそれぞれ挿入可能である。これら小突起２２０の高さ（上下方向長さ）は互いに等しく、小突起２２０の上端面は基部２１０の上端面と平行な平坦面とされている。
【００５７】
大突起２３０は前後方向に細長の板形状をなし、カバースライダ２０の膨出部２３におけるガイド孔２４，２５の位置に対応して、基部上面のリブ２２５の左右外側に設けられている。すなわち、基部２１０の上面には、前大突起２３１および後大突起２３２が同一直線状を前後方向に互いに離間して設けられるとともに、前大突起２３１および後大突起２３２はそれぞれ左右に１つづつ設けられ、計４個の大突起２３０が突設されている。
【００５８】
大突起２３０の高さは、図１２（ｃ）に示すように、小突起２２０の高さよりも高く、さらに前大突起２３１の高さは後大突起２３２の高さよりも高い。前大突起２３１と後大突起２３２はそれぞれ先端部が後面にかけてテーパ状に形成され、各大突起２３０の先端は鋭角に突出している。図では、後大突起２３２のテーパ面２３２ａが前大突起２３１のテーパ面２３１ａよりも上方にシフトしており、テーパ面２３１ａ，２３２ａは同一直線上にないが、テーパ面２３１ａ，２３２ａを同一直線状に形成してもよい。以上の小突起２２０および大突起２３０はキャップ５０の押し出し部２００ａを構成する。
【００５９】
以上の光コネクタ用治具２００を用いてキャップ５０を取り外す場合の手順について説明する。まず、図１３に示すように、カバースライダ２０をフレーム１０に対し前方にスライドさせた状態で、カバースライダ２０のガイド孔２４，２５に、前大突起２３１および後大突起２３２をそれぞれ挿入する。また、カバースライダ２０がフレーム１０に対し前方にスライドさせた状態ではない場合であっても、テーパ状の前大突起２３１の先端部をガイド孔２４と、フレーム１０の突起１９ａとによって形成される貫通孔に挿入することにより、カバースライダ２０は前大突起２３１のテーパ面２３１ａによりフレーム１０に対し前方に押し出される。このとき、前大突起２３１および後大突起２３２はそれぞれフレーム１０の側面の前凹部１９ｂ（図６）および後凹部１９ｃに装着される。これによりフレーム１０に対する治具２００の位置が規制される。前大突起２３１と後大突起２３２は互いに異なる高さを有し、かつ、先端部はそれぞれテーパ状に形成されているため、ガイド孔２４，２５への大突起２３１，２３２の挿入が容易である。
【００６０】
ガイド孔２４，２５に大突起２３１，２３２を挿入した状態では、図１４に示すように、各小突起２２１，２２２は、カバースライダ２０の底面の貫通孔２６，２７、フレーム１０の底面の貫通孔１４，１５、およびバックボーン３０の底面の貫通孔３４，３５をそれぞれ貫通し、各小突起２２１，２２２の上端面はキャップ５０の脚部５２ａ，５２ｂ，５３ａ，５３ｂの下端面５２ｄ，５３ｄにそれぞれ当接する。この状態で、例えば図１３に示すように治具２００を親指で押し上げる。これによりキャップ５０に押出力が作用してキャップ５０が押し上げられ、図１１（ａ）に示すようにエレメント４０が開放状態となり、光ファイバ素線１０１，１０３に作用していた圧接力が除去される。
【００６１】
次いで、治具２００の開放部２００ｂを用いてエンドキャップ７からクリップ８を開放する。図１５（ａ）は、開放部２００ｂの使用例を示す斜視図であり、図１５（ｂ）は、図１５（ａ）のｂ−ｂ線断面図である。クリップ８を開放する場合には、図１５（ａ）に示すように治具２００を立てた状態として、エンドキャップ７の右方から治具２００を近づけ、エンドキャップ７の下段面７ａとクリップ８の把持プレート８２との間に形成された空隙にアーム先端のテーパ部２４２を挿入する。さらに、図１５（ｂ）に示すようにエンドキャップ７の上下の下段面７ａに沿って治具２００を左方にスライドさせる。
【００６２】
これによりクリップ８の把持プレート８２の先端部が上下に押し広げられて、クリップ８の開口部８４とエンドキャップ７の突起部７３，７５との係合が解除される。このとき、突起部７３，７５は、アーム内側面の溝２４３に収容されるため、アーム２４０と突起部７３，７５とが干渉することなく、アーム２４０を左方にスライドさせることができ、アーム２４０のスライドによりクリップ８を左方に移動することができる。クリップ８が左に移動すると、差込プレート８３から外被把持部材１０６に作用する挟持力が低減もしくは除去される。これにより光コネクタ１００から光ファイバケーブル１０２を容易に引き抜くことができ、導入光ファイバ素線１０３の端面仕上げの修正等を行うことができる。
【００６３】
本実施の形態に係る光コネクタ用冶具２００は、キャップ５０の押し出し時およびクリップ８の開放時、キャップ５０の嵌入時にも用いることができる。その場合には、図１１（ａ）に示すようにキャップ５０の下部が収容凹部３３に挿入された状態で、治具２００の大突起２３０を、カバースライダ２０のガイド孔２４，２５に上方から挿入する。このとき、各小突起２２０の先端部は、キャップ５０の上面５１ｂにそれぞれ当接する。この状態で、例えば親指によりキャップ上面５１ｂに対し押込力を付与する。
【００６４】
これにより図１１（ｂ）に示すように収容凹部３３にキャップ５０を完全に押し込むことができる。この場合、キャップ５０はガイド孔２４，２５に沿って移動するため、キャップ上面５１ｂに対し垂直に押込力を付与することができるとともに、４個の小突起２２０によりキャップ全体に均等に押込力を作用することができ、キャップ５０をスムーズに押し込むことができる。
【００６５】
以上、本実施の形態によれば、治具２００の端部にクリップ８の開放用のアーム２４０を設けるようにしたので、クリップ８の開放も容易であり、外部から導入された光ファイバケーブル１０２を容易に引き抜くことができる。さらにカバースライダ２０のガイド孔２４，２５に対応して基部２１０に先端部がテーパ状の大突起２３０を設けるようにしたので、カバースライダの位置に関わりなくガイド孔に大突起を挿入することができ、その結果、光コネクタ１００の本体１に対して治具２００を位置決めすることができ、貫通孔３４，３５，１４，１５，２６，２７に正確に小突起２２０を挿入することができる。これにより光コネクタ１００に一旦組み込まれた光ファイバケーブル１０２を容易に引き抜くことができ、導入光ファイバ素線１０３の端面仕上げに不良があった場合に、光コネクタ１００を破壊することなく、また、導入光ファイバ素線１０３を切断することなく、端面仕上げをやり直すことができ、材料費を節約できる。
【００６６】
また、キャップ５０の上面５１ｂに小突起２２０を当接してキャップ５０を押し込むこともでき、キャップ５０の押し出し用としてだけでなく、キャップ５０の押し込み用としても治具２００を用いることができる。このように治具２００は複数の着脱機能を有するので、光ファイバ素線１０１，１０３の接続作業時に複数の治具を準備する必要がなく、作業コストを低減できる。
【００６７】
なお、上記実施の形態では、アーム２４０の後端にテーパ部２４２を設けることでエンドキャップ７とクリップ８との係合を解除することができるようにしたが、アーム２４０の後端部の構成、エンドキャップ７とクリップ８との係合部の構成は上述したものに限らない。また、エンドキャップ７の突起部７３，７５とアーム２４０とが干渉しないよう溝２４３を設けたが、エンドキャップ７の突起部７３，７５とアーム２４０とが干渉しなければ、アーム２４０の構成は上述したものに限らない。
【００６８】
キャップ押し込み時には、治具２００を用いてキャップ５０の上面５１ｂに押込力を付与し、キャップ押し出し時には、治具２００を用いて脚部５２，５３の下端面５２ｄ，５３ｄに押出力を付与するようにしたが、押込力が付与される被押込部の構成、および押出力が付与される被押出部の構成は上述したものに限らない。
【００６９】
キャップ５０の基部５１に４本の脚部５２，５３を形成し、この脚部５２，５３の配置に合せてバックボーン３０とフレーム１０とカバースライダ２０にそれぞれ貫通孔３４，３５，１４，１５，２６，２７を設けるようにしたが、作動部材としてのキャップ５０の構成は上述したものに限らない。したがって、脚部５２，５３の下端面５２ｄ，５３ｄに対向する貫通孔３４，３５，１４，１５，２６，２７の位置、および治具２００の小突起２２０の配置も上述したものに限らない。
【００７０】
例えば、図１６（ａ）に示すように基部２１０に細長の２本の小突起２２０を設けるようにしてもよい。図１６（ｂ）、（ｃ）に示すように３本の小突起２２０を設けるようにしてもよい。図１６（ｄ）に示すように小突起２２０をコ字状に形成してもよい。すなわち、キャップ５０の下端面５２ｄ，５３ｄに押出力を付与するための押出部の構成は種々のものを採用できる。キャップ５０の着脱機能とクリップ８の開放機能とを有するように治具２００を構成したが、キャップ５０の押し出し機能のみを有するものとしてもよい。大突起２３０の先端部をテーパ状に形成したが、ガイド部の構成はこれに限らない。
【００７１】
フレーム１０にカバースライダ２０をスライド可能に取り付け、カバースライダ２０のガイド孔２４，２５に治具２０の大突起２３０を嵌入するようにしたが、図１７に示すようにカバースライダ２０を省略して、フレーム１０の側面の凹部１９に直接治具２００を取り付けるようにしてもよい。フレーム１０内にバックボーン３０を配設するようにしたが、バックボーン３０を省略して本体１を構成してもよい。すなわちキャップ５０が嵌入される嵌合部（収容凹部３３、開口部１６，２８）と、キャップ脚部５２，５３の下端面５２ｄ，５３ｄに対向した貫通孔３４，３５，１４，１５，２６，２７とを有するのであれば、本体１の構成は上述したものに限らない。
【００７２】
本発明は、作動部材の押し込みにより光ファイバ素線１０１，１０３を接続するのであれば、上述したストレートタイプの光コネクタだけでなく、Ｌ字状に折り曲げられたタイプの光コネクタ等、種々の光コネクタに適用することができ、相手方の光コネクタ１０４にも適用可能である。すなわち、本発明の特徴、機能を実現できる限り、本発明は実施の形態の光コネクタに限定されない。
【符号の説明】
【００７３】
１    本体
２    フェルール
３    スプライス部
７    エンドキャップ
８    クリップ
１０    フレーム
１４，１５    貫通孔
１６    開口部
２０    カバースライダ
２６，２７    貫通孔
２８    開口部
３０    バックボーン
３３    収容凹部
３４，３５    貫通孔
４０    エレメント
５０    キャップ
５１    基部
５２，５２    脚部
１０１    組込光ファイバ素線
１０３    導入光ファイバ素線
１０６    外被把持部材
２００    治具
２１０    基部
２２０    小突起
２３０    大突起
２４０    アーム
２４２    テーパ部
【図１】
2011203485.tif 000003
【図２】
2011203485.tif 000004
【図３】
2011203485.tif 000005
【図４】
2011203485.tif 000006
【図５】
2011203485.tif 000007
【図６】
2011203485.tif 000008
【図７】
2011203485.tif 000009
【図８】
2011203485.tif 000010
【図９】
2011203485.tif 000011
【図１０】
2011203485.tif 000012
【図１１】
2011203485.tif 000013
【図１２】
2011203485.tif 000014
【図１３】
2011203485.tif 000015
【図１４】
2011203485.tif 000016
【図１５】
2011203485.tif 000017
【図１６】
2011203485.tif 000018
【図１７】
2011203485.tif 000019